(57)【要約】【課題】安定な磁界結合型の通信が可能なＲＦＩＤ通信システムを実現する。【解決手段】リーダーライター１０には、ループ状アンテナの送信アンテナ１０１Ｔｘと受信アンテナ１０１Ｒｘとが近接して配置されている。送信アンテナ１０１Ｔｘに対してリーダーライター１０の外部側には、常磁性体の第１磁性体１０２Ａが配設されている。受信アンテナ１０１Ｒｘに対してリーダーライター１０の外部側には、常磁性体の第２磁性体１０２Ｂが配設されている。ＲＦＩＤタグ２０には、コイル状アンテナからなる送受信アンテナ２０１が配設されている。送受信アンテナ２０１に対してＲＦＩＤタグ２０の内部側には常磁性体の第３磁性体２０３が配設されている。これにより、送信アンテナ１０１Ｔｘと受信アンテナ１０１Ｒｘとの磁界結合は抑制され、送信アンテナ１０１Ｔｘおよび受信アンテナ１０１Ｒｘと送受信アンテナ２０１との磁界結合は強められる。【選択図】  図２
2012175471.tif 000002
【特許請求の範囲】
【請求項１】
生成した送信信号で磁界を発生する巻回形の送信アンテナと、
外部アンテナからの磁界を受けて受信信号を取得する巻回形の受信アンテナと、を備え、前記外部アンテナに対して磁界結合することで通信を行う磁界結合型通信装置であって、
前記送信アンテナの前記外部アンテナが配される側またはその反対側に設置された第１磁性体と、
前記受信アンテナの前記外部アンテナが配される側またはその反対側に配置された第２磁性体と、を備えた磁界結合型通信装置。
【請求項２】
請求項１に記載の磁界結合型通信装置であって、
前記第１磁性体と前記第２磁性体とは離間して配置されている、磁界結合型通信装置。
【請求項３】
請求項２に記載の磁界結合型通信装置であって、
前記第１磁性体と前記第２磁性体とは非磁性体を介して配置されている、磁界結合型通信装置。
【請求項４】
請求項３に記載の磁界結合型通信装置であって、
前記第１磁性体、前記非磁性体、および前記第２磁性体は、この順で配列するように一体形成された複合磁性体からなる、磁界結合型通信装置。
【請求項５】
請求項１乃至請求項４のいずれかに記載の磁界結合型通信装置を備えるとともに、
前記外部アンテナと、該外部アンテナの前記送信アンテナおよび前記受信アンテナ側またはその反対側に配置された第３磁性体と、前記外部アンテナに接続するＲＦＩＤ−ＩＣとを含むＲＦＩＤタグを備える、磁界結合型通信システム。
【発明の詳細な説明】
【技術分野】
【０００１】
本発明は、巻回形のアンテナ同士を近接させて磁界結合することで通信を行う磁界結合型通信装置および磁界結合型通信システムに関する。
【背景技術】
【０００２】
従来、ＲＦＩＤ−ＩＣを搭載したＲＦＩＤタグに対して通信を行う装置およびシステムが各種考案されている。このようなＲＦＩＤに対する通信方法としては、例えば、特許文献１に示すように、ＲＦＩＤタグとリーダーライターの双方に巻回形のアンテナを備え、磁界結合により通信を行う方法がある。
【０００３】
特許文献１に記載のＲＦＩＤに対する通信システムでは、リーダーライターは、送受信兼用のアンテナを用いている。
【０００４】
ところで、特許文献１に記載のような送受信兼用のアンテナを用いる場合、リーダーライター内で送信回路と受信回路との双方が送受信兼用アンテナに接続する回路構成となる。したがって、送信回路と受信回路との間のアイソレーションを確保することが容易ではない場合がある。
【０００５】
特に、ＲＦＩＤタグとの通信の場合には、リーダーライターから送信する質問信号の周波数帯域と、ＲＦＩＤタグから返信（送信）される応答信号の周波数帯域とが重なり、送信回路と受信回路との間でのアイソレーションを十分に取れず、受信感度が低下する等の問題が生じることがある。
【０００６】
この問題を解決する方法として、送信アンテナと受信アンテナとを個別に備えるリーダーライターを用いることがある。
【先行技術文献】
【特許文献】
【０００７】
【特許文献１】特開２０００−１０１４７１号公報
【発明の概要】
【発明が解決しようとする課題】
【０００８】
しかしながら、送信アンテナと受信アンテナとを個別に備えるリーダーライターでは、次に示す問題が生じる。図１は従来のリーダーライターによるＲＦＩＤタグへの通信時の問題点を説明するための図である。図１は、質問信号送信時のある電流タイミングでの磁界を示す図である。
【０００９】
図１において、リーダーライターは、送信アンテナ１０１Ｔｘと受信アンテナ１０１Ｒｘとを備える。ＲＦＩＤタグは、送受信アンテナ２０１を備える。リーダーライターの送信アンテナ１０１Ｔｘおよび受信アンテナ１０１Ｒｘ、ＲＦＩＤタグの送受アンテナ２０１は、巻回数や開口面積が異なるもののそれぞれ巻回形からなる。
【００１０】
リーダーライターがＲＦＩＤタグに対して、質問信号を送信する場合には、送信用電流Ｉｔｘを送信アンテナ１０１Ｔｘへ流す。これにより、送信アンテナ１０１Ｔｘの電流変化にしたがって、送信アンテナ１０１Ｔｘの中央開口部の中心を軸として、磁界Ｈｔｘｏが発生する。この磁界ＨｔｘｏがＲＦＩＤタグの送受信アンテナ２０１の中央開口部を交差することで、送受信アンテナ２０１が磁界Ｈｔｘｏに結合して結合電流Ｉｔｘｃ’を流す。これにより、ＲＦＩＤタグに質問信号を送信している。
【００１１】
ここで、磁界Ｈｔｘｏは、図１に示すように、送信アンテナ１０１Ｔｘを巻くように発生する。このため、送信アンテナ１０１Ｔｘに近接するとともに、巻回形を有する面が略同一平面上にある受信アンテナ１０１Ｒｘの中央開口部にも磁界Ｈｔｘｏが通過する。
【００１２】
これにより、受信アンテナ１０１Ｒｘにも不要な結合電流Ｉｕｎが流れ、質問信号が受信回路側へ伝搬され、上述の特許文献１に記載の送受兼用アンテナを用いた場合と同様に、受信感度の低下等の問題が生じてしまうことがある。
【００１３】
したがって、本発明の目的は、送信アンテナと受信アンテナとが近接することによる結合を抑制し、安定な磁界結合型の通信が可能な磁界結合型通信装置および磁界結合型の通信システムを実現することにある。
【課題を解決するための手段】
【００１４】
この発明は、生成した送信信号で磁界を発生する巻回形の送信アンテナと、外部アンテナからの磁界を受けて受信信号を取得する巻回形の受信アンテナと、を備え、外部アンテナに対して磁界結合することで通信を行う磁界結合型通信装置に関する。この磁界結合型通信装置は、送信アンテナの外部アンテナが配される側またはその反対側に設置された第１磁性体と、受信アンテナの外部アンテナが配される側またはその反対側に配置された第２磁性体と、を備える。
【００１５】
この構成では、送信信号による送信アンテナの電流変化によって磁界が生じる場合、第１磁性体が磁化され、巻回形の送信アンテナの巻回する平面の法線方向に強い磁界となり、受信アンテナに対して回り込みが殆ど生じない磁界となる。これにより、受信アンテナが送信アンテナに近接していても、送信信号による磁界と受信アンテナとの結合が抑制される。
【００１６】
一方、外部アンテナによる磁界は、第２磁性体により、巻回形の受信アンテナの巻回する平面の法線方向に強い磁界となる。これにより、受信アンテナは、外部アンテナからの信号（例えば送信アンテナからの質問信号（送信信号）に対する応答信号）を効率良く受信できる。
【００１７】
また、この発明の磁界結合型通信装置では、第１磁性体と第２磁性体とが離間して配置されていることが好ましい。
【００１８】
この構成では、送信アンテナに近い第１磁性体と、受信アンテナに近い第２磁性体とが離間されることで、第１磁性体、第２磁性体間に離間距離に応じた空気層が介在する。これにより、送信信号による磁界が受信アンテナ側に、さらに回り込みにくくなる。
【００１９】
また、この発明の磁界結合型通信装置では、第１磁性体と第２磁性体とが非磁性体を介して配置されていることが好ましい。
【００２０】
この構成では、送信アンテナに近い第１磁性体の第２磁性体側に非磁性体により受信アンテナ側への磁界の回り込みが防止される。
【００２１】
また、この発明の磁界結合型通信装置では、第１磁性体、非磁性体、および第２磁性体が、この順で配列するように一体形成された複合磁性体からなることが好ましい。
【００２２】
この構成では、第１、第２磁性体と非磁性体とが一体化されることで、個別に配置するよりも構成が簡素で、製造が容易になる。
【００２３】
また、この発明は、磁界結合型通信システムに関するものであり、上述のいずれかに記載の磁界結合型通信装置を備えるとともに、ＲＦＩＤタグを備える。そして、このＲＦＩＤタグは、外部アンテナと、該外部アンテナの送信アンテナおよび受信アンテナ側またはその反対側に配置された第３磁性体と、外部アンテナに接続するＲＦＩＤ−ＩＣとを含むＲＦＩＤタグを備える。
【００２４】
この構成では、第１磁性体と第３磁性体により、送信信号によって送信アンテナで発生する磁界は、より強く外部アンテナの巻回する平面の法線方向に沿うように生じる。これにより、送信時に、磁界結合型通信装置の送信アンテナと外部アンテナに相当するＲＦＩＤタグの送受信アンテナと磁界結合を強めることができる。
【００２５】
一方、受信時には、第３磁性体と第２磁性体とにより、ＲＦＩＤ−ＩＣの制御による外部アンテナ（送受信アンテナ）で発生する磁界は、より強く受信アンテナの巻回する平面の法線方向に沿うように生じる。これにより、受信時には、外部アンテナに相当するＲＦＩＤタグの送受信アンテナと磁界結合型通信装置の受信アンテナとの磁界結合を強めることができる。
【発明の効果】
【００２６】
この発明によれば、送信時には送信アンテナと受信アンテナとの磁界結合を抑制でき、受信時にはより高感度な受信が可能な磁界結合型通信装置および磁界結合型の通信システムを実現することができる。
【図面の簡単な説明】
【００２７】
【図１】従来のリーダーライターによるＲＦＩＤタグへの通信時の問題点を説明するための図である。
【図２】本発明の第１の実施形態に係るＲＦＩＤ通信システムの主要部の構成を示す外観斜視図である。
【図３】本発明の第１の実施形態に係るＲＦＩＤ通信システムの回路構成図である。
【図４】質問信号送信時の磁界分布を概略的に示した図である。
【図５】応答信号返信時の磁界分布を概略的に示した図である。
【図６】本発明の第２の実施形態に係るＲＦＩＤ通信システムの主要部の構成を示す外観斜視図である。
【発明を実施するための形態】
【００２８】
本発明の第１の実施形態に係る磁界結合型通信装置および磁界結合型通信システムについて、図を参照して説明する。なお、本実施形態では、磁界結合型通信システムとしてＲＦＩＤ通信システム１を用い、磁界結合型通信装置としてＲＦＩＤ用のリーダーライター１０を用いる例を説明する。図２は本実施形態に係るＲＦＩＤ通信システムの主要部の構成を示す外観斜視図である。図３は本実施形態に係るＲＦＩＤ通信システム１の回路構成図である。
【００２９】
本実施形態のＲＦＩＤ通信システム１は、図３に示すように、リーダーライター１０とＲＦＩＤタグ２０とを備える。リーダーライター１０は、ＣＰＵ１１、送信回路１２、受信回路１３、操作部１４、表示部１５、送信アンテナ１０１Ｔｘ、および受信アンテナ１０１Ｒｘを備える。ＲＦＩＤタグ２０は、送受信アンテナ２０１とＲＦＩＤ−ＩＣ２０２とを備える。
【００３０】
さらに、本実施形態のリーダーライター１０は第１磁性体１０２Ａおよび第２磁性体１０２Ｂを備え、ＲＦＩＤタグ２０は第３磁性体２０３を備える。
【００３１】
まず、本実施形態の基本となる通信機能について説明する。
ＣＰＵ１１はリーダーライター１０の全体制御を行う。また、ＣＰＵ１１は、操作部１４からＲＦＩＤと通信する操作が入力されると、ＲＦＩＤタグ２０との通信を行う制御を実行する。実行結果は、例えば液晶ディスプレイからなる表示部１５に表示される。
【００３２】
具体的には、ＲＦＩＤタグ２０と通信を行う場合には、ＣＰＵ１１は、送信回路１２に対して質問信号を送信する制御を行う。また、ＣＰＵ１１は、受信回路１３から取得した応答信号に基づいて上述の実行結果（例えばＲＦＩＤタグ２０のＲＦＩＣ−ＩＣ２０２に記憶された情報）を取得し、表示部１５に対して表示制御する。なお、実行結果の通知は、表示に限るものではなく、音による通知等であってもよい。
【００３３】
送信回路１２は、質問信号の送信制御を受けて、所定周波数（例えば１３０ｋＨｚ程度や１３ＭＨｚ程度等）からなる質問信号を生成し、送信アンテナ１０１Ｔｘへ供給する。
【００３４】
送信アンテナ１０１Ｔｘは巻回形のループアンテナである。送信アンテナ１０１Ｔｘは、質問信号が供給されることにより、当該質問信号の波形に準じた送信用電流Ｉｔｘが送信アンテナ１０１Ｔｘに流れる。送信アンテナ１０１Ｔｘに送信用電流Ｉｔｘが流れることにより、磁界Ｈｔｘが発生する。
【００３５】
ＲＦＩＤタグ２０の送受信アンテナ２０１は、巻回形のコイル状アンテナである。送受信アンテナ２０１は、送信アンテナ１０１Ｔｘおよび受信アンテナ１０１Ｒｘの形成領域と対向した際に、これらのアンテナの形成領域と同程度の面積で形成される。この際、送受信アンテナ２０は、送信アンテナ１０１Ｔｘの中央開口部および受信アンテナ１０１Ｒｘの中央開口部の両方に対して、送受信アンテナ２０１の中央開口部の少なくとも一部が同時に対向するような形状で形成されている。
【００３６】
リーダーライター１０のアンテナ側をＲＦＩＤタグ２０に近接させると、磁界ＨｔｘがＲＦＩＤタグ２０の送受信アンテナ２０１と磁界結合する。送受信アンテナ２０１は、この磁界結合により結合送信電流Ｉｔｘｃを生じる。
【００３７】
ＲＦＩＤタグ２０のＲＦＩＤ−ＩＣ２０２は、送受信アンテナ２０１からの結合送信電流Ｉｔｘｃを元に電源供給され、当該結合送信電流Ｉｔｘｃの入力によって質問信号を受信する。ＲＦＩＤ−ＩＣ２０２は、質問信号を解析し、当該質問信号に対する応答信号を発生する。ＲＦＩＤ−ＩＣ２０２は、応答信号を送受信アンテナ２０１へ供給する。
【００３８】
送受信アンテナ２０１には、応答信号が供給されることにより、当該応答信号の波形に準じた返信用電流Ｉｒｘが流れる。送受信アンテナ２０１に流れる返信用電流Ｉｒｘにより磁界Ｈｒｘが発生する。
【００３９】
受信アンテナ１０１Ｒｘは、送信アンテナ１０１Ｔｘと同様に、巻回形のループアンテナである。上述のようにリーダーライター１０のアンテナ側がＲＦＩＤタグ２０に近接されていると、磁界Ｈｒｘが受信アンテナ１０１Ｒｘに磁界結合する。受信アンテナ１０１Ｒｘは、この磁界結合により結合受信電流Ｉｒｘｃを発生する。この結合受信電流Ｉｒｘｃは、上述の受信回路１３へ出力される。
【００４０】
以上のような構成及び作用によって、リーダーライター１０とＲＦＩＤタグ２０との間で磁界結合型の通信が実現される。なお、この際、応答信号に基づく磁界Ｈｒｘは、送信アンテナ１０１Ｔｘでも受信されるが、例えば、送信回路１２と送信アンテナ１０１Ｔｘとの間にアイソレータを接続し、送信回路から送信アンテナ１０１Ｔｘへの一方向の伝送を実現すれば、送信回路１２に応答信号が入力されないようにすることができる。
【００４１】
このような通信仕様を基本とする磁界結合型の通信を行うＲＦＩＤ通信システムに対して、本実施形態のＲＦＩＤ通信システム１では、さらに図２に示すように、リーダーライター１０に第１磁性体１０２Ａ、第２磁性体１０２Ｂを配置し、ＲＦＩＤタグ２０に第３磁性体２０３を配置している。
【００４２】
第１磁性体１０２Ａは平板状の常磁性体からなる。第１磁性体１０２Ａは、送信アンテナ１０１Ｔｘを基準にして、リーダーライター１０の外部に向かう側に配置される。第１磁性体１０２Ａは、送信アンテナ１０１Ｔｘの巻回面と平板面が平行になるように、送信アンテナ１０１Ｔｘに近接して配置される。また、第１磁性体１０２Ａは、送信アンテナ１０１Ｔｘのループ形状の領域よりも広い面積の平板形状であり、送信アンテナ１０１Ｔｘの反対側から見て、送信アンテナ１０１Ｔｘのループ形状部分が第１磁性体１０２Ａの平板面により隠れるように、配置される。
【００４３】
第２磁性体１０２Ｂは平板状の常磁性体からなる。第２磁性体１０２Ｂは、受信アンテナ１０１Ｒｘを基準にして、リーダーライター１０の外部側に配置される。第２磁性体１０２Ｂは、受信アンテナ１０１Ｒｘの巻回面と平板面が平行になるように、受信アンテナ１０１Ｒｘに近接して配置される。また、第２磁性体１０２Ｂは、受信アンテナ１０１Ｒｘのループ形状の領域よりも広い面積の平板形状であり、受信アンテナ１０１Ｒｘの反対側から見て、受信アンテナ１０１Ｒｘのループ形状部分が第２磁性体１０２Ｂの平板面により隠れるように、配置される。
【００４４】
第１磁性体１０２Ａと第２磁性体１０２Ｂとは、透磁率が空気よりも高ければよく、後述する作用を鑑み仕様（通信の有効距離等）に応じて適宜設定すればよい。また、第１磁性体１０２Ａおよび第２磁性体１０２Ｂの厚みも、仕様に応じて適宜設定すればよい。
【００４５】
なお、第１磁性体１０２Ａおよび第２磁性体１０２Ｂは、それぞれ送信アンテナ１０１Ｔｘおよび受信アンテナ１０１Ｒｘに当接させても所定距離だけ離間させてもよいが、第１磁性体１０２Ａは、当接させたほうが、リーダーライター１０の各アンテナとＲＦＩＤタグ２０の送受信アンテナ２０１を貫く磁束をより集中させることができ、通信の利得を向上させることができる。
【００４６】
ＲＦＩＤタグ２０の第３磁性体２０３も、リーダーライター１０の第１磁性体１０２Ａおよび第２磁性体１０２Ｂと同様に、平板状の常磁性体からなる。第３磁性体２０３は、送受信アンテナ２０１を基準にして、ＲＦＩＤタグ２０の内部側に配置される。第３磁性体２０３は、送受信アンテナ２０１の巻回面と平板面が平行になるように、送受信アンテナ２０１に近接して配置される。また、第３磁性体２０３は、送受信アンテナ２０１の巻回形状（渦巻き状）の領域よりも広い面積の平板形状であり、送受信アンテナ２０１の反対側から見て、送受信アンテナ２０１の巻回形状部分が第３磁性体２０３の平板面により隠れるように、配置される。
【００４７】
第３磁性体２０３も、透磁率は空気よりも高ければよく、仕様に応じて適宜設定すればよい。また、第３磁性体２０３の厚みも、仕様に応じて適宜設定すればよい。さらに、第３磁性体２０３も、送受信アンテナ２０１に当接させても所定距離だけ離間させてもよいが、当接させる方が望ましい。
【００４８】
このような構成とすることで、本実施形態のＲＦＩＤ通信システム１では、質問信号の送信時に、図４に示すような磁界分布となる。図４は、質問信号送信時の磁界分布が概略的に示した図である。
【００４９】
本実施形態に示すように、第１磁性体１０２Ａを送信アンテナ１０１Ｔｘに近接させた構成で、送信アンテナ１０１Ｔｘに質問信号を供給すると、上述のように、当該質問信号の波形に準じた送信用電流Ｉｔｘが送信アンテナ１０１Ｔｘに流れる。そして、送信アンテナ１０１Ｔｘに送信用電流Ｉｔｘが流れることにより、磁界Ｈｔｘが発生する。
【００５０】
この磁界Ｈｔｘにより、常磁性体である第１磁性体１０２Ａは磁化し、平板面の法線方向に磁界を強めるように、磁界Ｈｔｘに作用する。このため、送信アンテナ１０１Ｔｘのループ電極を巻回するように生じる磁界は、抑制され、第１磁性体１０２Ａの側面よりも受信アンテナ１０１Ｒｘ側には殆ど漏れ出さない。したがって、送信アンテナ１０１Ｔｘのループ電極を巻回する磁界が受信アンテナ１０１Ｒｘに結合することなく、受信アンテナ１０１Ｒｘに不要な結合電流が流れない。
【００５１】
さらに、この構成では、送信アンテナ１０１Ｔｘの巻回面の法線方向に沿った磁界の強度が高くなるので、所望方向に対して効率良く磁界Ｈｔｘを発生することができる。したがって、ＲＦＩＤタグ２０の送受信アンテナ２０１に対して、効率良く磁界Ｈｔｘを与えることができる。これにより、従来構造よりも強いレベルの結合送信電流Ｉｔｘｃを得ることができる。すなわち、高効率で質問信号を送信することができる。また、質問信号の有効伝搬距離を長くすることができる。
【００５２】
また、さらに、本実施形態の構成では、ＲＦＩＤタグ２０の送受信アンテナ２０１を基準にして、送信アンテナ１０１Ｔｘおよび第１磁性体１０２Ａと反対側に、第３磁性体２０３が配置されている。この第３磁性体２０３も、質問信号による磁界Ｈｔｘで磁化され、平板面の法線方向に磁界を強めるように、且つ平板面に平行な方向への磁界の拡散を抑制するように、磁界Ｈｔｘに作用する。したがって、送受信アンテナ２０１の巻回面に対して、より直交し、強度の強い磁界を生じさせることができる。これにより、さらに高効率での質問信号の送信が可能になり、質問信号の有効伝搬距離をさらに長くすることができる。
【００５３】
次に、応答信号の返信時について説明する。図５は応答信号の返信時の磁界分布を概略的に示した図である。
【００５４】
送受信アンテナ２０１は、応答信号が供給されることにより、当該応答信号の波形に準じた返信用電流Ｉｒｘが流れる。送受信アンテナ２０１に流れる返信用電流Ｉｒｘにより磁界Ｈｒｘが発生する。
【００５５】
送受信アンテナ２０１と受信アンテナ１０１Ｒｘとの間に配置された第２磁性体１０２Ｂは常磁性体であるので、磁界Ｈｒｘで磁化し、平板面の法線方向に磁界を強めるように、且つ平板面に平行な方向への磁界の拡散を抑制するように、磁界Ｈｒｘに作用する。これにより、受信アンテナ１０１Ｒｘには、巻回面に直交する方向に強い磁界Ｈｒｘが供給される。受信アンテナ１０１Ｒｘでは、この磁界Ｈｒｘにより、従来構造よりも強いレベルの結合受信電流Ｉｒｘｃを得ることができる。したがって、従来構成よりも、高効率で応答信号を受信することができ、応答信号の有効伝搬距離も長くすることができる。
【００５６】
以上のように、本実施形態の構成を用いれば、送信アンテナ１０１Ｔｘから生じる磁界の受信アンテナ１０１Ｒｘへの干渉を抑圧し、且つ高効率な質問信号と応答信号の送受信が可能になるので、従来構成よりも受信感度が高く、通信効率の高いＲＦＩＤ通信システムを実現することができる。
【００５７】
次に、第２の実施形態に係る磁界結合型通信システムについて、図を参照して説明する。上述の第１の実施形態では、第１磁性体１０２Ａと第２磁性体１０２Ｂとを離間し、中間に空気層を介在する例を示したが、本実施形態では、図６に示すような構造を用いている。図６は、本実施形態に係るＲＦＩＤ通信システム１Ａの主要部の構成を示す外観斜視図である。
【００５８】
本実施形態のＲＦＩＤ通信システム１Ａは、リーダーライター１０Ａの磁性体の構造が異なるのみで、ＲＦＩＤタグ２０の構成は、上述の第１の実施形態と同じである。したがって、異なる箇所のみを説明する。
【００５９】
本実施形態では、常磁性体である第１磁性体１０２Ａと第２磁性体との間に、非磁性体１０２Ｃを介在させ、これらを一体化した複合磁性部材１２０を用いている。複合磁性部材１２０は平板形状からなり一定の厚みで形成されている。このような構成とすることで、第１磁性体１０２Ａおよび第２磁性体１０２Ｂを、同時に送信アンテナ１０１Ｔｘおよび受信アンテナ１０１Ｒｘに対して配設できる。また、送信アンテナ１０１Ｔｘから第１磁性体１０２Ａまでの距離、および受信アンテナ１０１Ｒｘから第２磁性体１０２Ｂまでの距離を、同じにした状態で、容易に設置することができる。これにより、安定した通信特性のリーダーライター１０を容易に製造することができる。
【００６０】
なお、本実施形態では、非磁性体１０２Ｃの厚みを第１磁性体１０２Ａおよび第２磁性体１０２Ｂと同じにしたが、異ならせてもよい。例えば、非磁性体１０２Ｃの厚みを、第１磁性体１０２Ａおよび第２磁性体１０２Ｂの厚みよりも厚くしてもよい。このように、非磁性体１０２Ｃの厚みを厚くすることで、送信アンテナ１０１Ｔｘと受信アンテナ１０１Ｒｘとの間の磁界結合を、より確実に抑制することができる。
【００６１】
また、非磁性体は磁性材を含まない誘電体セラミックスやエポキシ樹脂等であってもよい。
【００６２】
また、上述の実施形態では、ＲＦＩＤタグ２０に第３磁性体２０３を備える例を示したが、当該第３磁性体２０３を省略することも可能である。この場合、ＲＦＩＤタグ２０を、より薄型化することができる。
【００６３】
また、上述の実施形態では、送信アンテナ１０１Ｔｘの送受信アンテナ２０１側に第１磁性体１０２Ａが配設され、受信アンテナ１０１Ｒｘの送受信アンテナ２０１側に第２磁性体１０２Ｂが配設される構成としたが、送信アンテナ１０１Ｔｘの送受信アンテナ２０１と反対側に第１磁性体１０２Ａを配設したり、受信アンテナ１０１Ｒｘの送受信アンテナ２０１と反対側に第２磁性体１０２Ｂを配設したりしてもよい。また、送受信アンテナ２０１の送信アンテナ１０１Ｔｘおよび受信アンテナ１０１Ｒｘ側に第３磁性体２０３を配置することも可能である。
【００６４】
また、上述の説明では、ＲＦＩＤ通信システムを例に説明したが、磁界結合型で近接型の通信システムであれば、上述の構成を適用することができる。
【符号の説明】
【００６５】
１，１Ａ：ＲＦＩＤ通信システム、１０：リーダーライター、１１：ＣＰＵ、１２：送信回路、１３：受信回路、１４：操作部、１５：表示部、２０：ＲＦＩＤタグ、１０１Ｔｘ：送信アンテナ、１０１Ｒｘ：受信アンテナ、１０２Ａ：第１磁性体、１０２Ｂ：第２磁性体、１０２Ｃ：非磁性体、１２０：複合磁性部材、２０１：送受信アンテナ、２０２：ＲＦＩＤ−ＩＣ、２０３：第３磁性体
【図１】
2012175471.tif 000003
【図２】
2012175471.tif 000004
【図３】
2012175471.tif 000005
【図４】
2012175471.tif 000006
【図５】
2012175471.tif 000007
【図６】
2012175471.tif 000008